(57)【要約】      （修正有）【課題】ハードウェアによるブリンク処理、擬似多階調表示、画像データ伝送時の負荷軽減、デュアルスキャンディスプレイへの対応が可能な表示信号変換装置を提供する。【解決手段】重みビット値を出力するデコード部と、画素クロック等から水平、垂直、及び走査ビットカウンタ値を生成して出力するカウンタ部と、カウンタ値及び重みビット値の組み合わせに応じて、各要素が１ビットデータである複数のマトリックスから構成されるFRCパターンの中から、データを読み出して出力するFRC変換部とを備えたFRC処理部１１と、SRAM６と、入力されるFRC画像データをバッファした後に、SRAM６の２つのメモリ領域の一方に書き込むと共に、他方のメモリ領域からデータを読み出してバッファした後に出力するSRAM−IF部１２と、SRAM−IF部１２から出力されたデータを、所定の映像信号に変換して出力するディスプレイIF部１３とを装備する。【選択図】図１
2008257241.tif 000002
【特許請求の範囲】
【請求項１】
入力される画素データのビット数に応じたビット数の重みビット値を出力する重みビッ
ト値デコード部、
入力される垂直同期信号、水平同期信号及び画素クロックから、水平カウンタ値、垂直
カウンタ値及び走査ビットカウンタ値を生成して出力するカウンタ部、及び
前記水平カウンタ値、前記垂直カウンタ値、前記走査ビットカウンタ値、及び前記重み
ビット値の組み合わせに応じて、各要素が１ビットデータである複数のマトリックスから
構成されるＦＲＣパターンの中から、１つのデータを読み出してＦＲＣ画像データとして
出力するＦＲＣ変換部を備えたＦＲＣ処理部と、
２つのメモリ領域を有するメモリ部と、
入力される前記ＦＲＣ画像データをバッファした後に、前記２つのメモリ領域の何れか
一方のメモリ領域に書き込むと共に、他方のメモリ領域からデータを読み出してバッファ
した後に出力するメモリＩＦ部と、
該メモリＩＦ部から出力される前記メモリ部から読み出されたデータを、所定の映像信
号に変換して出力するディスプレイＩＦ部とを備え、
前記ＦＲＣパターン中の前記マトリックスの配置が、前記マトリックス中の所定の値で
ある要素の数が、前記ＦＲＣパターンの一方の軸の方向に沿って単調に減少又は増加し、
且つ他方の軸の方向に沿って変化しない配置であり、
前記重みビット値によって、前記ＦＲＣパターン中における、前記ＦＲＣ画像データと
して出力されるデータを含む前記マトリックスの、前記一方の軸の方向の位置が決定され
、
前記垂直カウンタ値によって、前記ＦＲＣパターン中における、前記ＦＲＣ画像データ
として出力されるデータを含む前記マトリックスの、前記他方の軸の方向の位置が決定さ
れ、
前記水平カウンタ値及び前記走査ビットカウンタ値によって、前記ＦＲＣ画像データと
して出力されるデータを含む前記マトリックス中における、前記ＦＲＣ画像データとして
出力されるデータの位置が決定されることを特徴とする表示信号変換装置。
【請求項２】
前記マトリックスが４行４列のマトリックスであり、
前記ＦＲＣパターンが、前記マトリックスを行方向に１６個、列方向に１６個配列して
形成されるパターンであり、
前記重みビット値デコード部に入力される前記画素データが４ビットデータである場合
、前記重みビット値が前記画素データと同じ値であり、
前記重みビット値デコード部に入力される前記画素データが２ビットデータである場合
、前記重みビット値が、１６進数表記で、０以上Ｆ以下の範囲を略３等分する２つの値、
０、及びＦから成る群の中の１つの値であり、
前記重みビット値デコード部に入力される前記画素データが３ビットデータである場合
、前記重みビット値が、１６進数表記で、０以上Ｆ以下の範囲を略７等分する６つの値、
０、及びＦから成る群の中の１つの値であることを特徴とする請求項１記載の表示信号変
換装置。
【請求項３】
前記ＦＲＣ処理部に、走査線方向に隣接する２つの前記画素データが同時に入力される
場合に、走査線方向の並びの奇数番目の前記画素データに対する前記ＲＦＣ画像データを
順に出力する第１のデータバスと、前記走査線方向の並びの偶数番目の前記画素データに
対する前記ＲＦＣ画像データを順に出力する第２のデータバスとを備え、
前記メモリＩＦ部が、
入力される画素クロック及び水平同期信号に応じて、前記メモリ部にデータを書き込む
アドレスを出力するアドレス生成部と、
前記ＦＲＣ処理部からの前記第１のデータバスによって入力される第１のデータと、前
記第２のデータバスを介して入力される前記第２のデータとを、１データ毎に交互にバッ
ファして、前記アドレスに応じて前記メモリ部に書き込む書込バッファ部と、
前記メモリ部から前記アドレスに応じてデータを読み出し、バッファして出力する読出
バッファ部とを備えていることを特徴とする請求項１又は請求項２記載の表示信号変換装
置。
【請求項４】
前記メモリ部からのデータ読出し時に、前記アドレス生成部が、前記２つのメモリ領域
の一方のメモリ領域の先頭アドレスから開始する所定数の第１の読出しアドレス群を生成
し、これに続いて、前記一方のメモリ領域の中間アドレスから開始する前記所定数の第２
の読出しアドレス群とを生成することを特徴とする請求項３記載の表示信号変換装置。
【請求項５】
ブリンク制御信号及びマルチプレクサ制御信号を出力するＣＰＵ−ＩＦ部と、
前記ブリンク制御信号から、垂直ブランキング期間中に信号レベルが反転するブリンク
クロックを生成するブリンククロック生成部、
前記ブリンククロックに応じて、入力される画像データを出力する、又は出力しない白
黒ブリンク信号生成部、
入力される前記画像データを所定のビット数だけビットシフトしてビットシフト画像デ
ータを生成し、前記ブリンククロックに応じて、入力される前記画像データと前記ビット
シフト画像データとを交互に出力する減光ブリンク信号生成部、及び
前記マルチプレクサ制御信号に応じて、前記白黒ブリンク信号生成部からの出力信号、
及び前記減光ブリンク信号生成部からの出力信号の何れかを選択して、前記ＦＲＣ処理部
に画像データとして出力するマルチプレクサを備えたブリンク処理部とをさらに備えてい
ることを特徴とする請求項４記載の表示信号変換装置。
【発明の詳細な説明】
【技術分野】
【０００１】
本発明は、入力される画像データを表示手段に応じた信号に変換して出力する表示信号
変換装置に関する。
【背景技術】
【０００２】
工業生産の自動化が進み、個々の製造装置がコントローラによって制御され、さらに複
数のコントローラがコンピュータによって集中管理されるような複雑なシステムが多く使
用されるようになってきている。制御対象の機器は、製造に直接関連する機械装置に限ら
ず、製造現場を撮影するカメラ、照明装置、空調装置、あるいは製造工程を管理するため
のデータを収集する装置など多岐にわたる。また、自動車に代表される複雑で高機能な製
品の製造ラインでは、非常に多くの種類の部品を取り付ける作業や調整作業が行われてお
り、機種によっても部品や調整内容が異なることから、作業の効率化やミスを防止するた
めに、作業場所毎に表示装置を配置し、作業者が表示装置から作業に必要な情報を得るこ
とができるようになっている。従って、収集した情報、緊急情報、作業に必要な情報など
を、誤認されることなく分かりやすく提示するために、表示装置もカラー表示、多階調表
示などの高機能化が要求されている。例えば、緊急時や、重要な情報を提示するときに、
提示情報を強調するために、画面の輝度を２段階に周期的に変化させる（以下、ブリンク
と記す）表示が行われている（下記の特許文献１参照）。
【０００３】
工業生産用の表示装置では、ＣＰＵ及び表示コントローラを備えた制御回路によって、
使用される表示パネルの種類、解像度、表示階調数に応じた映像信号及び表示制御信号を
生成して、表示パネルに入力する。通常、カラー表示パネルが使用される場合には、映像
信号は、表示階調数に応じたビット数のＲＧＢ信号として出力される。階調数が多くなれ
ば、処理対象の画像データ量が増大するので、安価ではあるが性能の低いＣＰＵや表示コ
ントローラを使用した制御回路では、高機能な表示を実現することが困難である。従って
、比較的高価である高性能なＣＰＵや表示コントローラを使用することが多い。
【０００４】
情報を正確に提示するには、多階調のカラー画像を表示できる表示装置が望ましいが、
作業工数が多い製造ラインの場合には、１つの製造ラインに数十の表示装置を配置するこ
とが必要であり、複数の製造ラインに配置する全ての表示装置を多階調カラー表示装置に
することは非常に高額の費用がかかることとなる。
【０００５】
一方、表示階調数が少ない表示パネルでも、ディザリング処理によって多階調の表示を
可能とする手段が知られており（下記の特許文献２参照）、１つの製造ラインの主たる表
示装置のみを多階調カラー表示装置とし、その他の大部分の表示装置に、ディザリング処
理に対応したモノクロ表示装置を使用することができれば、比較的低額の費用ですむ。
【０００６】
しかし、ディザリング処理はソフトウェアによって行われることが多く、高性能のＣＰ
Ｕや表示コントローラが必要であり、低価格を要求される工業生産用の表示装置では、あ
まり実施されていない。
また、ブリンク処理は下記の特許文献１などで公知ではあるが、工業生産用の表示パネ
ルでは、表示色と黒色のブリンク表示のみしかできないものが多い。さらに、ブリンク表
示がソフトウェアによって制御されている場合、即ち、ＣＰＵがブリンク表示を直接制御
している場合、ＣＰＵへの負荷が大きいという問題がある。
【０００７】
また、画像表示用の制御回路は、使用するＣＰＵのデータビット幅に応じて設計されて
おり、例えば、１６ビットの画像データを扱うように設計された制御回路では、８ビット
でしか画像データを出力できないＣＰＵには、１画素のビット数が少ないにも拘わらず、
対応できないという問題がある。また、両者に対応する設計も困難である。
また、工業生産用の表示制御回路では、高機能なデュアルスキャンディスプレイへの映
像信号を出力することが困難である。
【０００８】
また、ブリンク表示、ディザリング表示などの個々の機能は公知ではあるが、これら複
数の機能を備えた、工業生産用の表示装置の設計は困難である。
【特許文献１】特開平１０−２７４９７６号公報
【特許文献２】特開２００１−１３４２４３号公報
【発明の開示】
【課題を解決するための手段及びその効果】
【０００９】
本発明は、上記の課題を解決すべく、比較的低機能のＣＰＵを使用しても、ハードウェ
アによるブリンク処理、低階調数の表示装置での多階調表示、ＣＰＵによる画像データ伝
送時の負荷の軽減、デュアルスキャンディスプレイへの対応が可能な表示信号変換装置を
提供することを目的としている。
本発明の目的は、以下の手段によって達成される。
【００１０】
即ち、本発明に係る表示信号変換装置装置（１）は、入力される画素データのビット数
に応じたビット数の重みビット値を出力する重みビット値デコード部、入力される垂直同
期信号、水平同期信号及び画素クロックから、水平カウンタ値、垂直カウンタ値及び走査
ビットカウンタ値を生成して出力するカウンタ部、及び前記水平カウンタ値、前記垂直カ
ウンタ値、前記走査ビットカウンタ値、及び前記重みビット値の組み合わせに応じて、各
要素が１ビットデータである複数のマトリックスから構成されるＦＲＣパターンの中から
、１つのデータを読み出してＦＲＣ画像データとして出力するＦＲＣ変換部を備えたＦＲ
Ｃ処理部と、２つのメモリ領域を有するメモリ部と、入力される前記ＦＲＣ画像データを
バッファした後に、前記２つのメモリ領域の何れか一方のメモリ領域に書き込むと共に、
他方のメモリ領域からデータを読み出してバッファした後に出力するメモリＩＦ部と、該
メモリＩＦ部から出力される前記メモリ部から読み出されたデータを、所定の映像信号に
変換して出力するディスプレイＩＦ部とを備え、前記ＦＲＣパターン中の前記マトリック
スの配置が、前記マトリックス中の所定の値である要素の数が、前記ＦＲＣパターンの一
方の軸の方向に沿って単調に減少又は増加し、且つ他方の軸の方向に沿って変化しない配
置であり、前記重みビット値によって、前記ＦＲＣパターン中における、前記ＦＲＣ画像
データとして出力されるデータを含む前記マトリックスの、前記一方の軸の方向の位置が
決定され、前記垂直カウンタ値によって、前記ＦＲＣパターン中における、前記ＦＲＣ画
像データとして出力されるデータを含む前記マトリックスの、前記他方の軸の方向の位置
が決定され、前記水平カウンタ値及び前記走査ビットカウンタ値によって、前記ＦＲＣ画
像データとして出力されるデータを含む前記マトリックス中における、前記ＦＲＣ画像デ
ータとして出力されるデータの位置が決定されることを特徴としている。
上記表示信号変換装置（１）によれば、多階調の元画像から、モノクロ２階調、又はＲ
ＧＢ各１ビットの合計８階調の画像を生成することができ、さらに、元画像と同等の多階
調画像として視認され得る画像を、表示階調数が少ない表示装置に表示させることができ
る。
【００１１】
また、本発明に係る表示信号変換装置装置（２）は、上記表示信号変換装置装置（１）
において、前記マトリックスが４行４列のマトリックスであり、前記ＦＲＣパターンが、
前記マトリックスを行方向に１６個、列方向に１６個配列して形成されるパターンであり
、前記重みビット値デコード部に入力される前記画素データが４ビットデータである場合
、前記重みビット値が前記画素データと同じ値であり、前記重みビット値デコード部に入
力される前記画素データが２ビットデータである場合、前記重みビット値が、１６進数表
記で、０以上Ｆ以下の範囲を略３等分する２つの値、０、及びＦから成る群の中の１つの
値であり、前記重みビット値デコード部に入力される前記画素データが３ビットデータで
ある場合、前記重みビット値が、１６進数表記で、０以上Ｆ以下の範囲を略７等分する６
つの値、０、及びＦから成る群の中の１つの値であることを特徴としている。
上記表示信号変換装置（２）によれば、入力される元画像のＲＧＢデータの各ビット数
に応じて、元画像と同等の多階調画像として視認され得る、ＲＧＢ各１ビットの合計８階
調の画像を生成することができる。
【００１２】
また、本発明に係る表示信号変換装置装置（３）は、上記表示信号変換装置装置（１）
又は（２）において、前記ＦＲＣ処理部に、走査線方向に隣接する２つの前記画素データ
が同時に入力される場合に、走査線方向の並びの奇数番目の前記画素データに対する前記
ＦＲＣ画像データを順に出力する第１のデータバスと、前記走査線方向の並びの偶数番目
の前記画素データに対する前記ＦＲＣ画像データを順に出力する第２のデータバスとを備
え、前記メモリＩＦ部が、入力される画素クロック及び水平同期信号に応じて、前記メモ
リ部にデータを書き込むアドレスを出力するアドレス生成部と、前記ＦＲＣ処理部からの
前記第１のデータバスによって入力される第１のデータと、前記第２のデータバスを介し
て入力される前記第２のデータとを、１データ毎に交互にバッファして、前記アドレスに
応じて前記メモリ部に書き込む書込バッファ部と、前記メモリ部から前記アドレスに応じ
てデータを読み出し、バッファして出力する読出バッファ部とを備えていることを特徴と
している。
上記表示信号変換装置（３）によれば、同時に２つの画素データが伝送されても処理で
きるので、ＣＰＵの画像データ伝送の負荷を軽減できる。
【００１３】
また、本発明に係る表示信号変換装置装置（４）は、上記表示信号変換装置装置（３）
において、前記メモリ部からのデータ読出し時に、前記アドレス生成部が、前記２つのメ
モリ領域の一方のメモリ領域の先頭アドレスから開始する所定数の第１の読出しアドレス
群を生成し、これに続いて、前記一方のメモリ領域の中間アドレスから開始する前記所定
数の第２の読出しアドレス群とを生成することを特徴としている。
上記表示信号変換装置（４）によれば、デュアルスキャンディスプレイへの対応が可能
となる。
【００１４】
また、本発明に係る表示信号変換装置装置（５）は、上記表示信号変換装置装置（４）
において、ブリンク制御信号及びマルチプレクサ制御信号を出力するＣＰＵ−ＩＦ部と、
前記ブリンク制御信号から、垂直ブランキング期間中に信号レベルが反転するブリンクク
ロックを生成するブリンククロック生成部、前記ブリンククロックに応じて、入力される
画像データを出力する、又は出力しない白黒ブリンク信号生成部、入力される前記画像デ
ータを所定のビット数だけビットシフトしてビットシフト画像データを生成し、前記ブリ
ンククロックに応じて、入力される前記画像データと前記ビットシフト画像データとを交
互に出力する減光ブリンク信号生成部、及び前記マルチプレクサ制御信号に応じて、前記
白黒ブリンク信号生成部からの出力信号、及び前記減光ブリンク信号生成部からの出力信
号の何れかを選択して、前記ＦＲＣ処理部に画像データとして出力するマルチプレクサを
備えたブリンク処理部とをさらに備えていることを特徴としている。
上記表示信号変換装置（５）によれば、ブリンク機能をハードウェアで実現することが
でき、ＣＰＵの負荷を軽くすることができ、比較的低性能の安価なＣＰＵを使用すること
が可能になる。また、ＦＲＣ機能、画素変換機能、スキャンコンバート機能、ブリンク機
能を任意に組み合わせて実現することができる。
【発明を実施するための最良の形態】
【００１５】
以下、本発明に係る実施の形態を、添付した図面に基づいて説明する。
図１は、本発明の実施の形態に係る表示信号変換装置を備えた画像表示装置の概略構成
を示すブロック図である。本画像表示装置は、画像表示装置全体を制御するＣＰＵ１、Ｃ
ＰＵ１が行う処理プログラムの一時記憶やワークエリアとして使用されるメモリ部２、処
理プログラムや画像データを記録する記録部３、表示モードの変更などの画像表示装置に
対する指示が行われる操作部４、画像を表示する表示部５、フレームバッファとして使用
されるスタティックラム（ＳＲＡＭ）６、本実施の形態に係る表示信号変換装置７、及び
各部間でデータ（画像データ及び制御データ）を交換するための内部バス８を備えている
。本実施の形態に係る表示信号変換装置７は、ＣＰＵ−ＩＦ部９、ブリンク処理部１０、
ＦＲＣ処理部１１、ＳＲＡＭ−ＩＦ部１２、及びディスプレイＩＦ部１３を備えている。
【００１６】
ＣＰＵ−ＩＦ部９は、ＣＰＵ１から内部バス８を介して入力される画像データ及び制御
データを、表示信号変換装置７内部で使用されるデータ形式に変換する。本明細書におい
ては、特に断らない限り、画像データ及び制御データは、所定のクロック信号に基づいて
変化するディジタル信号を表すこととする。制御データは、具体的には後述するように、
操作部４によって設定された表示信号変換装置７の動作モードを指定又は制御するデータ
である。また、ＣＰＵ−ＩＦ部９は、ＣＰＵ１からの制御データに応じて、表示信号変換
装置７の各部に必要な画像データ及び制御データを伝送する。例えば、制御データがブリ
ンク機能を指定するデータであれば、ＣＰＵ１から受信した画像データをブリンク処理部
１０に出力し、制御データがフレームレート制御機能（以下、ＦＲＣ機能と記す）を指定
するデータであれば、画像データをＦＲＣ処理部１１に出力する。
【００１７】
ブリンク表示機能が指定されている場合、ブリンク処理部１０が、入力される画像デー
タの各画素データを、所定の周期で変化させて、ディスプレイＩＦ部１３に出力する。デ
ィスプレイＩＦ部１３は、入力される画像データを、表示部５に応じた映像信号に変換し
て表示部５に出力する。これによって、所定の周期でブリンクする画像が表示される。
【００１８】
また、ＦＲＣ機能が指定されている場合、ＦＲＣ処理部１１が、入力されるＲＧＢ形式
の画像データの各画素データに対応して、所定の規則に従って新たなＲＧＢ各１ビット、
合計３ビットの画像データを決定して、ＳＲＡＭ−ＩＦ部１２を介してＳＲＡＭ６に出力
する。ＳＲＡＭ６からＳＲＡＭ−ＩＦ部１２を介して画像データを受信したディスプレイ
ＩＦ部１３は、入力された画像データを、表示部５に応じた映像信号に変換して、表示部
５に出力する。ここで、所定の規則は、後述するように、多階調の画像データを、元の画
素のビット数よりも少ないビット数にしても、多階調画像として視認され得る規則である
。従って、表示部５の表示可能な階調数が、元の画像データの階調数よりも少なくても、
元の画像データの階調数として視認され得る画像が表示される。
【００１９】
また、画素変換機能が指定されている場合、画像データを表示信号変換装置７に伝送す
る１つのバスで２つの画素データを同時に伝送する。これによって、表示に関わるバス占
有率を軽減することができる。
また、スキャンコンバート機能が指定されている場合、ＳＲＡＭ６に書き込まれた画像
データを、上画面領域表示データと下画面領域表示データとして、同時に読出し、ディス
プレイＩＦ部１３に出力する。これによって、デュアルスキャン対応の映像信号を生成す
ることができる。
【００２０】
以下において、ブリンク表示機能、ＦＲＣ機能、画素変換機能、スキャンコンバート機
能の各々に関して具体的に説明する。
図２はブリンク処理部１０の内部構成を示すブロック図である。ブリンク処理部１０は
、減光ブリンク信号生成部２１、白黒ブリンク信号生成部２２、マルチプレクサ２３、及
びブリンククロック生成部２４を備えている。
【００２１】
ブリンククロック生成部２４は、入力される画素クロックＩＮＤＣＬＫ、Ｖイネーブル
信号ＶＳＹＮＣＥＮ、ＣＰＵ１からの基準クロックＰＷＭ０、及び２ビットのブリンク周
期設定情報ｂｓ［１：０］から、ブリンククロックｂｓ＿ｃｌｋを生成して、減光ブリン
ク信号生成部２１及び白黒ブリンク信号生成部２２に供給する。
【００２２】
ここで、Ｖイネーブル信号ＶＳＹＮＣＥＮは、垂直ブランキング期間においてのみハイ
レベルになる信号であり、ＣＰＵ−ＩＦ部９によって、例えば図３に示したように生成さ
れる。ＣＰＵ１からＣＰＵ−ＩＦ部９に入力される水平同期信号ＨＳＹＮＣ、垂直同期信
号ＶＳＹＮＣ、画素クロックＩＮＤＣＬＫから、垂直同期信号ＶＳＹＮＣがローレベルの
期間（垂直ブランキング期間に対応）における最初の画素クロックＩＮＤＣＬＫの１周期
幅だけ、ハイレベルとなるようにＶイネーブル信号ＶＳＹＮＣＥＮが生成される。同様に
、水平同期信号ＨＳＹＮＣがローレベルの期間（水平ブランキング期間に対応）における
最初の画素クロックＩＮＤＣＬＫの１周期幅だけ、ハイレベルとなるようにＨイネーブル
信号ＨＳＹＮＣＥＮが生成される。これによって、Ｈイネーブル信号ＨＳＹＮＣＥＮ、Ｖ
イネーブル信号ＶＳＹＮＣＥＮは、それぞれ水平、垂直ブランキング期間毎に、画素クロ
ックＩＮＤＣＬＫの１周期の間だけハイレベルとなる。
【００２３】
ブリンククロックｂｓ＿ｃｌｋは、先ず、基準クロックＰＷＭ０が、ブリンク周期設定
情報ｂｓ［１：０］に応じて２、４、又は８分周された分周クロックＰＷＭ１を生成し、
次に、ＶＳＹＮＣＥＮがアクティブ時（例えば、ハイレベル時）に、ＩＮＤＣＬＫの立ち
上がりで、分周クロックＰＷＭ１がサンプリングされて生成される。例えば、ブリンク周
期設定情報（ｂｓ１，ｂｓ０）の組み合わせが、（０，０）の場合には分周せずに基準ク
ロックＰＷＭ０をそのまま使用し、（１，１）、（１，０）、（０，１）の場合にそれぞ
れ２、４、８分周される。これによって、表示部５の画面走査が行われていない垂直ブラ
ンキング期間中に、ブリンククロックｂｓ＿ｃｌｋのハイ／ローレベルの切り換え、即ち
クロックエッジの生成が行われ、画面表示のフレーム周期と同期したブリンククロックｂ
ｓ＿ｃｌｋが生成される。例えば、ＰＷＭ０＝４Ｈｚとすれば、分周なし、２分周、４分
周、８分周の場合には、それぞれ、４Ｈｚ、２Ｈｚ、１Ｈｚ、０．５Ｈｚの周波数のフレ
ーム周期と同期したブリンククロックｂｓ＿ｃｌｋが生成される。
【００２４】
白黒ブリンク信号生成部２２は、入力される画像データｄａｔａ＿ｉｎを、上記したブ
リンククロックｂｓ＿ｃｌｋに応じて信号出力する。例えば、ブリンククロックｂｓ＿ｃ
ｌｋがハイレベルの間は、入力される画像データｄａｔａ＿ｉｎをそのまま出力し、ブリ
ンククロックｂｓ＿ｃｌｋがローレベルの間は信号を出力しない。すなわち、元画像と黒
画像（画像表示なし）とが、ブリンククロックｂｓ＿ｃｌｋに従って、交互に表示部５に
表示されることによって、白黒ブリンクが実現される。
【００２５】
減光ブリンク信号生成部２１は、入力される画像データｄａｔａ＿ｉｎのビットシフト
を行った後、上記したブリンククロックｂｓ＿ｃｌｋに応じて信号出力する。例えば、画
像データｄａｔａ＿ｉｎが所定のビット数のＲＧＢ信号として入力され、Ｒ、Ｇ、Ｂ各色
のデータビットの下位方向に輝度が低くなるとすると、下位ビット側に１ビットシフトす
る。例えば、１画素のＲデータを５ビットとし、各ビット値をＲi（ｉ＝４〜０）で表す
場合、入力されたＲ画像データＲin＝（Ｒ4，Ｒ3，Ｒ2，Ｒ1、Ｒ0）を右側に１ビッ
トシフト（最上位ビットには“０”をセットする）して、データＲout＝（“０”，Ｒ4
，Ｒ3，Ｒ2，Ｒ1）を生成する。その後、データＲoutは、例えば、ブリンククロック
ｂｓ＿ｃｌｋがハイレベルの間は、減光ブリンク信号生成部２１から出力され、ブリンク
クロックｂｓ＿ｃｌｋがローレベルの間は出力されない。Ｇ、Ｂのデータに関しても同様
に処理される。これによって、表示部５に表示された場合に、元画像の約１／２の輝度（
下位ビット側に１ビットシフトした画像）となる画像データが生成される。すなわち、元
画像とその約１／２の輝度の画像とが、ブリンククロックｂｓ＿ｃｌｋに従って、交互に
表示部５に表示されることによって、減光ブリンクが実現される。
【００２６】
マルチプレクサ２３は、入力画像データｄａｔａ＿ｉｎ、白黒ブリンク信号生成部２２
の出力信号、及び減光ブリンク信号生成部２１の出力信号を受信すると、ＣＰＵ１から入
力される２ビットの選択信号（Ｂ＿ＥＮ，ＢＳＥＴ）に応じて、入力される３種類の信号
の中の何れか１つの信号を選択して出力する。例えば、（Ｂ＿ＥＮ，ＢＳＥＴ）が、（０
，０）又は（０，１）の場合には入力画像データが選択され、（１，０）、（１，１）の
場合には、それぞれ減光ブリンク信号生成部２１、白黒ブリンク信号生成部２２の出力信
号が選択される。マルチプレクサ２３の出力信号は、ディスプレイＩＦ部１３に入力され
、表示部５の種類に応じた形式の映像信号に変換された後、表示部５に対して出力される
。
【００２７】
以上によって、選択信号（Ｂ＿ＥＮ，ＢＳＥＴ）に応じて、ブリンクの有無及びブリン
クの種類を決定することができ、画素クロックＩＮＤＣＬＫ、垂直同期信号ＶＳＹＮＣ、
基準クロックＰＷＭ０、及びブリンク周期設定情報ｂｓ１［１：０］によって決定される
ブリンククロックｂｓ＿ｃｌｋの周期で、フレームに同期したブリンク表示が可能となる
。例えば、減光ブリンクが指定された場合には、元画像と、その約１／２の輝度の画像と
が、ブリンククロックｂｓ＿ｃｌｋに従って、交互に表示部５に表示される。また、白黒
ブリンクが指定された場合には、元画像と、黒画像（画像表示なし）とが、ブリンククロ
ックｂｓ＿ｃｌｋに従って、交互に表示部５に表示される。
【００２８】
次に、ＦＲＣ機能に関して説明する。図４は、ＦＲＣ処理部１１の内部構成を示すブロ
ック図である。ＦＲＣ処理部１１は、重みビット値デコード部３１、カウンタ部３２、Ｆ
ＲＣ変換部３３とを備えている。また、重みビット値デコード部３１及びＦＲＣ変換部３
３は、ＲＧＢ形式の画像データのＲ、Ｇ、Ｂの各々のデータに対する処理部を備えている
。
【００２９】
重みビット値デコード部３１は、入力される各々複数ビットのＲ、Ｇ、Ｂの画像データ
Ｒ＿ＤＴ、Ｇ＿ＤＴ、Ｂ＿ＤＴに対して、所定の規則に従って各々の重みビット値ｗi（
ｉ＝Ｒ，Ｇ，Ｂ）を決定する。変換規則の一例を、図５に示す。例えば、入力される各Ｒ
、Ｇ、Ｂの画像データが４ビットである場合（４０９６色に対応）、図５の第１行に示し
たように、入力値と同じ値を重みビット値ｗi（ｉ＝Ｒ，Ｇ，Ｂ）とする。Ｒ及びＧの画
像データが共に３ビット、Ｂの画像データが２ビット（２５６色に対応）の場合には、Ｒ
及びＧの画像データに関しては、入力値０〜７に応じて、第２行又は第３行に示した値を
重みビット値ｗi（ｉ＝Ｒ，Ｇ）とし、Ｂの画像データに関しては、入力値０〜３に応じ
て、第４行に示した値を重みビット値ｗBとする。ここで、第２行又は第３行の何れが使
用されるかは、外部から入力される重み制御データＦＲＣＴＥＳＴに依存し、ＦＲＣＴＥ
ＳＴ＝０であれば第２行が使用され、ＦＲＣＴＥＳＴ＝１であれば第３行が使用される。
例えば、ＦＲＣＴＥＳＴ＝０、Ｒの画像データ＝７、Ｇの画像データ＝４、Ｂの画像デー
タ＝２の場合、重みビット値は１６進表記で、ｗR＝Ｆ、ｗG＝９、ｗB＝Ａとなる。ま
た、Ｒ、Ｇ、Ｂの画像データの各々が２ビット（６４色に対応）である場合には、第４行
の値が使用される。
【００３０】
カウンタ部３２は、２ビットの走査ビットカウンタ、２ビットの水平カウンタ（以下、
Ｈカウンタと記す）、及び４ビットの垂直カウンタ（以下、Ｖカウンタと記す）（何れも
図示せず）を備えている。カウンタ部３２は、ＣＰＵ−ＩＦ部９によって生成されるＨイ
ネーブル信号及びＶイネーブル信号を使用する。Ｈイネーブル信号ＨＳＹＮＣＥＮ、Ｖイ
ネーブル信号ＶＳＹＮＣＥＮは、各々Ｈカウンタ、Ｖカウンタに入力され、例えば、各イ
ネーブル信号の立ち上がり毎に、各カウンタの値が１だけ増加する。また、走査ビットカ
ウンタは、水平同期信号ＨＳＹＮＣの立ち上がり（画像表示開始）で０にリセットされた
後、画素クロックＩＮＤＣＬＫの立ち上がり毎に１だけ増加する。カウンタ部３２は、こ
れらのカウンタ値を、ＦＲＣ変換部３３に対して出力する。
【００３１】
ＦＲＣ変換部３３は、内部に、各画素が１ビットデータである６４×６４個の画素から
なる画像パターン（以下、ＦＲＣパターンと記す）を備えている。ＦＲＣパターンの一例
を図６に示す。ＦＲＣパターンは、各々が４×４個の画素からなるマトリックスが、縦、
横に各々１６個配置されて構成されている。図６では、３行目〜１５行目のマトリックス
は省略している。図６において、白、黒の画素は各々データが１、０であることを表す。
各マトリックスは、横方向に、マトリックス中の白色の画素の個数（以下、マトリックス
の輝度と記す）が、単調に変化するように配置されている。また、同じ縦列のマトリック
スの輝度は同じであるが、上下に隣接する２つのマトリックス内部の白画素の配置が異な
るように配列されている。ＦＲＣ変換部３３は、入力される走査ビットカウンタ値、Ｈカ
ウンタ値、Ｖカウンタ値、及び重みビット値ｗi（ｉ＝Ｒ，Ｇ，Ｂ）に応じて、ＦＲＣパ
ターン中の１画素の値（１ビット）を出力する。
【００３２】
ＦＲＣパターン中の１画素の値（１ビット）の決定に関して、図７を用いて説明する。
いま、画像の左上を原点、右方向をＸ軸、下方向をＹ軸にとり、画像上の画素の座標を原
点からの画素数（ｎx，ｎy）で表し、画素のＲＧＢ値を（ｄR，ｄG，ｄB）とする。
この場合、座標（ｎx，ｎy）に対応する画像データがＦＲＣ変換部３３に入力されたと
き、上記した説明から分かるように、Ｈカウンタ値はｎyを４で除算した残りの値（０〜
３）であり、走査ビットカウンタ値はｎxを４で除算した残りの値（０〜３）である。ま
た、Ｖカウンタ値は、１フレームの画像が表示される毎に、４ビット幅のカウンタが周期
的にカウントアップされて決定される。また、重みビット値ｗi（ｉ＝Ｒ，Ｇ，Ｂ）は、
画素のデータ形式及びＲＧＢ値（ｄR，ｄG，ｄB）に応じて、上記したように図５に従
って決定される。
【００３３】
以上によって決定された、Ｈカウンタ値、走査ビットカウンタ値、Ｖカウンタ値、及び
重みビット値ｗi（ｉ＝Ｒ，Ｇ，Ｂ）に応じて、図７に示すように、座標（ｎx，ｎy）
の画素に対応するＦＲＣパターン中の１画素の値（１ビット）が決定される。即ち、Ｖカ
ウンタ値によって、ＦＲＣパターンの行番号（上から０〜Ｆ）が決定され、重みビット値
ｗi（ｉ＝Ｒ，Ｇ，Ｂ）によって、ＦＲＣパターンの列番号（左から０〜Ｆ）が決定され
る。更に、Ｈカウンタ値によって、各マトリックスの行番号（上から０〜３）が決定され
、走査ビットカウンタ値によって、各マトリックスの列番号（左から０〜３）が決定され
る。このように、各々のＲ、Ｇ、Ｂデータに関して、ＦＲＣパターン中の１画素の位置が
決定され、その画素値（各１ビット）が、合計３ビットのデータＲＧＢ＿ＤＴ［２：０］
として出力される。
【００３４】
ＦＲＣ処理部１１から出力された画像データＲＧＢ＿ＤＴ［２：０］は、ＳＲＡＭ−Ｉ
Ｆ部１２を介してＳＲＡＭ６に一旦記録され、ディスプレイＩＦ部１３が、ＳＲＡＭ−Ｉ
Ｆ部１２を介してＳＲＡＭ６から読み出して、表示部５に応じた映像信号として表示部５
に出力する。このＳＲＡＭ６への書込み、読出しの詳細は後述する。
【００３５】
従って、例えば、元画像がＲＧＢ各４ビット、合計１２ビット（４０９６色表示）のデ
ータであったとしても、ＦＲＣ変換によって、ＲＧＢ各１ビット、合計３ビットのデータ
（８色表示）にすることができ、表示階調数が低い表示装置に表示することができる。こ
のとき、ＦＲＣパターンによって、同じ画素値であっても、画像上の画素の位置及びフレ
ームによって、出力値は異なることとなり、１６フレームを１周期として周期的に繰り返
えされるので、見かけ上元画像に近い階調数で表示することができる。
表示する画像は静止画像に限定されず、１６フレームの周期よりも長い周期で変化する
動画像であれば、上記した多階調表示の効果を奏する。
【００３６】
次に、画素変換機能に関して説明する。以上の説明では、ＣＰＵ１から内部バス８を介
してＣＰＵ−ＩＦ部９に入力される画素データＦＰＤは、１画素クロックのタイミングで
、バス幅（例えば１６ビット幅）全体で１画素のデータが伝送される。これに対して、１
画素クロックのタイミングで、バス幅（例えば１６ビット幅）全体で２画素データを伝送
するようになっている。即ち、画素変換機能は、バスによって伝送されるデータ、例えば
１６ビットのデータＦＰＤ［１５：０］を、１画素データとして処理する場合と、ＦＰＤ
［１５：８］及びＦＰＤ［７：０］の２画素データとして処理する場合とを、ハードウェ
ア的に変更する機能である。これを実現するために、ＦＲＣ処理部１１は入力されたバス
幅のデータを、上位ビット部分と下位ビット部分の２つに分けて、各々を処理して２つの
データバスＲＧＢ＿ＤＴ＿ＯＤＤ、ＲＧＢ＿ＤＴ＿ＥＶＥＮから出力する。ＦＲＣ処理部
１１から出力される２つのデータは、以下に説明するようにＳＲＡＭ６に書き込まれる。
【００３７】
図８は、ＳＲＡＭ−ＩＦ部１２の内部構成を示すブロック図である。ＳＲＡＭ−ＩＦ部
１２は、読出バッファ部４１、書込バッファ部４２、アドレス生成部４３、及びイネーブ
ル信号生成部４４を備えている。書込バッファ部４２は、ＦＲＣ処理部１１から画素クロ
ックＩＮＤＣＬＫに応じて入力される画像データをバッファし、所定のタイミングで、所
定のビット幅のデータとしてＳＲＡＭ６に出力する。また、読出バッファ部４１は、ＳＲ
ＡＭ６から所定のビット幅のデータを読出してバッファし、所定のタイミングでディスプ
レイＩＦ部１３に出力する。ここで、書込バッファ部４２への画像データは、２つのデー
タバスＲＧＢ＿ＤＴ＿ＯＤＤ、ＲＧＢ＿ＤＴ＿ＥＶＥＮ（例えば、各３ビット幅のデータ
バス、合計６ビット幅）を介して入力される。尚、上記のＦＲＣ機能の説明では、ＦＲＣ
処理部１１が、１つのＲＧＢ入力データバスと１つの出力データバスとを備えている場合
を説明した（図４参照）が、ここでは、ＦＲＣ処理部１１が、２つのＲＧＢ入力データバ
ス（各８ビット）と２つの出力データバス（ＲＧＢ＿ＤＴ＿ＯＤＤ、ＲＧＢ＿ＤＴ＿ＥＶ
ＥＮ、各３ビット）とを備えていることとする。また、ＳＲＡＭ−ＩＦ部１２とＳＲＡＭ
６とを接続する書込データバスＤＯ、読出データバスＤＩは、例えば、共に１６ビットで
あり、バッファサイズは、例えば、共に９６ビットである。
【００３８】
アドレス生成部４３は、ＳＲＡＭ６の書込／読出を行うＳＲＡＭ６上のアドレスを指定
するアドレスデータＡを、入力される画素クロックＩＮＤＣＬＫに応じて、ＳＲＡＭ６に
対して出力する。例えば、アドレスＡは１８ビットで指定される。イネーブル信号生成部
４４は、書込／読出に使用される制御信号を、入力される画素クロックＩＮＤＣＬＫ及び
Ｈイネーブル信号ＨＳＹＮＣＥＮから生成する。ＳＲＡＭ６への書込みは、書込イネーブ
ル信号ＷＥ＿Ｌがローレベルの状態で、アドレスデータＡが確定される毎に、所定のデー
タ単位（例えば、１画素単位）毎にＳＲＡＭ６のアドレスＡに書き込まれる。また、ＳＲ
ＡＭ６からの読出しは、読出イネーブル信号ＯＥ＿Ｌがローレベルの状態で、アドレスデ
ータＡが確定される毎に、所定のデータ単位（例えば、１画素単位）毎にＳＲＡＭ６のア
ドレスＡから読み出される。ここで、ＳＲＡＭ６は、各々が画像の１フレーム分に相当す
る２つの領域（以下、第１領域、第２領域と記す）に区分されている。
【００３９】
通常のモードの場合、書込バッファ部４２の２つのデータバスＲＧＢ＿ＤＴ＿ＯＤＤ、
ＲＧＢ＿ＤＴ＿ＥＶＥＮのうち、一方のバスのみが使用される。例えば、データバスＲＧ
Ｂ＿ＤＴ＿ＥＶＥＮが使用されるとすると、データバスＲＧＢ＿ＤＴ＿ＥＶＥＮには、Ｆ
ＲＣ処理部１１によって、画素クロックＩＮＤＣＬＫに応じて、１画素のデータが順に、
例えば、表示される画像の走査順に設定される。従って、書込バッファ部４２は、画像の
走査順に画素データをＳＲＡＭ６に書き込む。
【００４０】
この場合、まず、アドレス生成部４３が第１領域のアドレスデータＡを順に出力し、書
込バッファ部４２が第１領域に１フレーム分の画像データを書き込む。次に、アドレス生
成部４３が第１領域のアドレスデータＡを順に出力し、読出バッファ部４１が第１領域か
ら１フレーム分の画像データを読み出す間に、アドレス生成部４３が第２領域のアドレス
データＡを順に出力し、書込バッファ部４２が第２領域に１フレーム分の画像データを書
き込む。続いて、アドレス生成部４３が第２領域のアドレスデータＡを出力し、読出バッ
ファ部４１が第２領域から画像データを読み出す間に、再びアドレス生成部４３が第１領
域のアドレスデータＡを出力し、書込バッファ部４２が第１領域に画像データを書き込む
。これを繰り返し、ＳＲＡＭ６から読み出されたデータが、９６ビットバスＦＲＣ＿ＤＴ
［９５：０］を介して、ディスプレイＩＦ部１３に入力されることによって、フレーム単
位で順に画像が表示される。
【００４１】
これに対して、画素変換機能を実現するには、書込バッファ部４２に入力される２つの
データバスＲＧＢ＿ＤＴ＿ＯＤＤ、ＲＧＢ＿ＤＴ＿ＥＶＥＮの両方を使用する。この場合
、ＦＲＣ処理部１１によって、画素クロックＩＮＤＣＬＫに応じて、１画素のデータが交
互に２つのバスに設定される。例えば、図９に示すように、表示される画像の走査順に、
奇数番目の画素データ（１ｄｏｔ、３ｄｏｔ、・・・、３１ｄｏｔ）がバスＲＧＢ＿ＤＴ
＿ＥＶＥＮに設定され、偶数番目の画素データ（２ｄｏｔ、４ｄｏｔ、・・・、３２ｄｏ
ｔ）がバスＲＧＢ＿ＤＴ＿ＯＤＤに設定される。書込バッファ部４２は、２つのバスから
入力されたデータを、順にバッファして、１番目の画素から順に走査順に並んだ一まとめ
のデータ（９６ビット）とし、この一まとめのデータを、上記したように、ＳＲＡＭ６の
第１及び第２領域の何れか一方の領域に書込み、一方の領域への１フレーム分のデータの
書込みが完了した後、他方の領域に書込み、これを繰り返す。
【００４２】
以上のように、ＦＲＣ処理部１１からデータを出力する２つのデータバスＲＧＢ＿ＤＴ
＿ＯＤＤ、ＲＧＢ＿ＤＴ＿ＥＶＥＮを備えることによって、ＣＰＵ１から１画素のビット
数がバス幅（１６ビット）に等しい画像データを伝送する場合、及び、ＣＰＵ１から１画
素のビット数がバス幅（１６ビット）の１／２に等しい画像データを同時に２つ伝送する
場合の両方に対応することができる。
【００４３】
次に、スキャンコンバート機能に関して説明する。表示信号変換装置７の構成は上記と
同様に、ＦＲＣ処理部１１は２つのデータバスＲＧＢ＿ＤＴ＿ＯＤＤ、ＲＧＢ＿ＤＴ＿Ｅ
ＶＥＮを備えており、ＳＲＡＭ−ＩＦ部１２は図８に示した構成である。
【００４４】
本発明に係るスキャンコンバート機能は、ＳＲＡＭ６からのデータ読出しに特徴があり
、第１又は第２領域の何れかの先頭アドレスと、同じ領域の中間アドレスとの２つの領域
から、所定量のデータを交互に読み出す。図１０は、１フレームに対応するＳＲＡＭ６の
領域と、その読出し方法を示す図である。図１０に示すように、上記した通常のモード（
シングルスキャンモード）では、画素データが書き込まれた順に読み出されるのに対して
、デュアルスキャンモードの場合には、先頭アドレスと中間アドレスとの２つのアドレス
から順に画素データが読み出される。即ち、デュアルスキャンモードで画像データを読み
出す場合、アドレスデータＡは、先ず領域の先頭アドレスから、バッファの１／２のデー
タ量（９６ビット／２＝４８ビット）だけのアドレスが順に設定され、続いて、同じ領域
の中間アドレスから、バッファの１／２のデータ量（４８ビット）だけのアドレスが順に
設定される。これによって、読出バッファ部４１は、９６ビットのバッファの前半に画像
の先頭からの画素データを保存し、後半に画像の中間からの画素データを保存し、これら
をディスプレイＩＦ部１３に出力する。ディスプレイＩＦ部１３では、これをデュアルス
キャンデータに変換して出力する。これによって、デュアルスキャン対応の表示部５への
画像表示が可能となる。
【００４５】
以上においては、ブリンク機能、ＦＲＣ機能、画素変換機能、スキャンコンバート機能
を個々に説明したが、これらの機能を任意に組み合わせて画像データに適用することがで
る。例えば、図１において、ブリンク処理部１０から出力される画像データｄａｔａ＿ｏ
ｕｔがＦＲＣ処理部１１に入力する経路を使用すれば、画像データに対して、ブリンク機
能とＦＲＣ機能とを同時に適用することができる。
【００４６】
また、ＦＲＣ機能において、使用するＦＲＣパターンは図６のパターンに限定されず、
その他のパターンであってもよい。また、ＦＲＣパターン内のマトリックスの並び順序は
、別の並びであってもよい。その場合、各カウンタから所定の規則で対応するマトリック
スを決定するようにすればよい。また、マットリックスのサイズも、４×４に限定されず
、それよりも小さいサイズのマトリックスでも、大きいサイズのマトリックスであっても
よい。
【００４７】
また、ＦＲＣパターンは、固定のパターン自体を不揮発性の内部メモリに記録しておい
ても、表示装置に電源が投入されて起動するときの初期設定において、ソフト的に生成し
てもよい。
【００４８】
また、フレームバッファ用のメモリは、ＳＲＡＭ６に限定されず、各々が１フレームの
データサイズ以上の３つ以上の領域に区分されていてもよい。
また、ブリンク機能の減光ブリンク信号生成部２１におけるビットシフトは、１ビット
に限定されない。
【００４９】
なお、本実施の形態に係る画像表示装置は、劣悪な周囲環境でも動作することが要求さ
れる場合に好適に使用されるＨＭＩ（Human Machine Interface）機器としてのプログラ
マブル表示器であってもよい。このプログラマブル表示器は、ドット表示画面、操作入力
スイッチ、プログラマブル・ロジック・コントローラ（ＰＬＣ）との間のインターフェー
ス、画面上での操作入力のような制御のためのプログラムメモリなどを備えた表示制御装
置である。一般に、プログラマブル表示器は、グラフィック表示を行うので、操作盤、ス
イッチ、表示灯などの機能を備えることができる他、デバイスの稼動状況や作業指示のよ
うな管理のための各種モニタ、機器に対する設定値を入力する端末としての機能を備えて
いる。
【図面の簡単な説明】
【００５０】
【図１】本発明の実施の形態に係る表示信号変換装置を使用した画像表示装置の概略構成を示すブロック図である。
【図２】ブリンク処理部の概略構成を示すブロック図である。
【図３】Ｖ、Ｈイネーブル信号の生成を説明する図である。
【図４】ＦＲＣ処理部の概略構成を示すブロック図である。
【図５】重みビット値を決定する規則を説明する図である。
【図６】ＦＲＣパターンの一例を示す図である。
【図７】ＦＲＣパターン中の１画素の値（１ビット）の決定を説明する図である。
【図８】ＳＲＡＭ−ＩＦ部の概略構成を示すブロック図である。
【図９】デュアルスキャンモードにおいて、データバスに設定される画素データを示すタイミングチャートである。
【図１０】シングル及びデュアルスキャンモードにおけるデータ読み出し順序を説明する図である。
【符号の説明】
【００５１】
１  ＣＰＵ
２  メモリ部
３  記録部
４  操作部
５  表示部
６  ＳＲＡＭ
７  表示信号変換装置
８  内部バス
９  ＣＰＵ−ＩＦ部
１０  ブリンク処理部
１１  ＦＲＣ処理部
１２  ＳＲＡＭ−ＩＦ部
１３  ディスプレイＩＦ部
２１  減光ブリンク信号生成部
２２  白黒ブリンク信号生成部
２３  マルチプレクサ
２４  ブリンククロック生成部
３１  重みビット値デコード部
３２  カウンタ部
３３  ＦＲＣ変換部
４１  読出バッファ部
４２  書込バッファ部
４３  アドレス生成部
４４  イネーブル信号生成部
【図１】
2008257241.tif 000003
【図２】
2008257241.tif 000004
【図３】
2008257241.tif 000005
【図４】
2008257241.tif 000006
【図５】
2008257241.tif 000007
【図６】
2008257241.tif 000008
【図７】
2008257241.tif 000009
【図８】
2008257241.tif 000010
【図９】
2008257241.tif 000011
【図１０】
2008257241.tif 000012